(57)【要約】【課題】  シーケンサの入出力用コネクタ４にセットされる電源用端子台１５付きの分岐ユニット１において、該分岐ユニット１を薄型にする。【解決手段】  分岐ユニット１を、シーケンサ側に接続されるシーケンサ側コネクタ５と、端末側に接続される複数の端末側コネクタ６、６ａと、シーケンサ側コネクタと前記複数の端末側コネクタとを電気的に分岐接続するための配線が施された基板７とを備えて構成するにあたり、基板７は、シーケンサ側コネクタ５に設けられるターミナル９間に挟持状に支持して該コネクタ５の厚さＴ内に収まるよう起立状にして設けて、薄型にした。【選択図】        図２
2006139528.tif 000002
【特許請求の範囲】
【請求項１】
シーケンサ側に接続されるシーケンサ側コネクタと、端末側に接続される複数の端末側コネクタと、シーケンサ側コネクタと前記複数の端末側コネクタとを電気的に分岐接続するための配線が施された基板とを備えて構成したシーケンサ用の分岐ユニットにおいて、前記基板に、該基板の互いに対向する一対の辺部のうちの一方の辺部にシーケンサ側コネクタを、他方の辺部に複数の端末側コネクタを設けるにあたり、基板は、シーケンサ側コネクタの厚さ内に収まるよう起立状にしてシーケンサ側コネクタに設けられていることを特徴とするシーケンサ用の分岐ユニット。
【請求項２】
請求項１において、各コネクタは、一対の辺部の対向方向に向けて相手側コネクタが差し込まれるようにして設けられていることを特徴とするシーケンサ用の分岐ユニット。
【請求項３】
請求項１または２において、基板は、シーケンサ側コネクタに設けられる２列のターミナル間に表裏面が挟持されていることを特徴とするシーケンサ用の分岐ユニット。
【請求項４】
請求項３において、基板を挟持するターミナルは、先端側が拡開していて基板の挿入ガイドをするように構成されていることを特徴とするシーケンサ用の分岐ユニット。
【請求項５】
請求項１乃至４の何れかにおいて、シーケンサ側コネクタを基台にビス固定するため該コネクタの両端部に設けられる固定代の少なくとも一方に、該固定代と共にビス固定されるブラケットを介して電源用の端子台が取付けられることを特徴とするシーケンサ用の分岐ユニット。
【請求項６】
請求項５において、ブラケットは、基板のコネクタを設けた互いに対向する一対の辺部を連結するための辺部から板面方向外側に突出するようにして設けたことを特徴とするシーケンサ用の分岐ユニット。
【請求項７】
請求項５または６において、ブラケットは、端子台の取付け部がコネクタを取付けた一対の辺部方向に傾斜していることを特徴とするシーケンサ用の分岐ユニット。
【請求項８】
請求項５乃至７の何れかにおいて、基板は二つ割状のケース体によって覆われるものとし、該両ケース体は、端部がブラケットによって挟持状に支持されていることを特徴とするシーケンサ用の分岐ユニット。
【請求項９】
請求項５乃至７の何れかにおいて、基板は二つ割状のケース体によって覆われるものとし、ブラケットは、端部が両ケース体によって回り止め状に支持されていることを特徴とするシーケンサ用の分岐ユニット。
【請求項１０】
請求項５乃至９の何れかにおいて、ブラケットは、二台の電源用の端子台が取付けられるものとし、該二台の端子台のうちの一台はブラケットが取付けられる側の分岐ユニット側に偏寄し、他の一台はブラケットが取付けられていない側の分岐ユニット側に偏寄して取付けられ、各対応する分岐ユニットの電源端子となるように構成したことを特徴とするシーケンサ用の分岐ユニット。
【発明の詳細な説明】
【技術分野】
【０００１】
本発明は、シーケンサの入出力ユニットに接続される分岐ユニットの技術分野に属するものである。
【背景技術】
【０００２】
一般に、シーケンサの入出力ユニットには入出力用のコネクタが設けられているが、該一つのコネクタから複数組の電気信号を入出力するようにしたものがある。そしてこの場合、電気信号は端末側において組数分に分岐されることになる。このような場合、シーケンサ側に設けられる入出力用コネクタに対応したピン数の多い一つのシーケンサ側コネクタと、端末側に設けられるコネクタに対応したピン数の少ない複数の端末側コネクタと、これらコネクタ同志を電気的に分岐接続するための配線が施された基板とを備えて構成した分岐ユニットが知られている（特許文献１）。
【特許文献１】実用新案登録第２６０３０３７号公報
【発明の開示】
【発明が解決しようとする課題】
【０００３】
ところが前記従来の分岐ユニットは、長方形状をした基板の一方の板面にシーケンス側コネクタを設け、他方の板面に端末側コネクタの複数個を設けて構成しているが、シーケンス側コネクタと端末側コネクタとが、基板の短辺方向に位置ずれした状態で設けられているため幅広なものであった。
ところで今日、シーケンサ側の入出力ユニットの小型コンパクト化が著しく、このため、シーケンサ側において、隣接するコネクタ同志の間隔が狭くなってきている結果、前記従来の分岐ユニットでは幅広すぎて分岐ユニットを入出力ユニット側のコネクタに接続することができないという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、シーケンサ側に接続されるシーケンサ側コネクタと、端末側に接続される複数の端末側コネクタと、シーケンサ側コネクタと前記複数の端末側コネクタとを電気的に分岐接続するための配線が施された基板とを備えて構成したシーケンサ用の分岐ユニットにおいて、前記基板に、該基板の互いに対向する一対の辺部のうちの一方の辺部にシーケンサ側コネクタを、他方の辺部に複数の端末側コネクタを設けるにあたり、基板は、シーケンサ側コネクタの厚さ内に収まるよう起立状にしてシーケンサ側コネクタに設けられていることを特徴とするシーケンサ用の分岐ユニットである。
請求項２の発明は、請求項１において、各コネクタは、一対の辺部対向方向に向けて相手側コネクタが差し込まれるようにして設けられていることを特徴とするシーケンサ用の分岐ユニットである。
請求項３の発明は、請求項１または２において、基板は、シーケンサ側コネクタに設けられる２列のターミナル間に表裏面が挟持されていることを特徴とするシーケンサ用の分岐ユニットである。
請求項４の発明は、請求項３において、基板を挟持するターミナルは、先端側が拡開していて基板の挿入ガイドをするように構成されていることを特徴とするシーケンサ用の分岐ユニットである。
請求項５の発明は、請求項１乃至４の何れかにおいて、シーケンサ側コネクタを基台にビス固定するため該コネクタの両端部に設けられる固定代の少なくとも一方に、該固定代と共にビス固定されるブラケットを介して電源用の端子台が取付けられることを特徴とするシーケンサ用の分岐ユニットである。
請求項６の発明は、請求項５において、ブラケットは、基板のコネクタを設けた互いに対向する一対の辺部を連結するための辺部から板面方向外側に突出するようにして設けたことを特徴とするシーケンサ用の分岐ユニットである。
請求項７の発明は、請求項５または６において、ブラケットは、端子台の取付け部がコネクタを取付けた一対の辺部方向に傾斜していることを特徴とするシーケンサ用の分岐ユニットである。
請求項８の発明は、請求項５乃至７の何れかにおいて、基板は二つ割状のケース体によって覆われるものとし、該両ケース体は、端部がブラケットによって挟持状に支持されていることを特徴とするシーケンサ用の分岐ユニットである。
請求項９の発明は、請求項５乃至７の何れかにおいて、基板は二つ割状のケース体によって覆われるものとし、ブラケットは、端部が両ケース体によって回り止め状に支持されていることを特徴とするシーケンサ用の分岐ユニットである。
請求項１０の発明は、請求項５乃至９の何れかにおいて、ブラケットは、二台の電源用の端子台が取付けられるものとし、該二台の端子台のうちの一台はブラケットが取付けられる側の分岐ユニット側に偏寄し、他の一台はブラケットが取付けられていない側の分岐ユニット側に偏寄して取付けられ、各対応する分岐ユニットの電源端子となるように構成したことを特徴とするシーケンサ用の分岐ユニットである。
【発明の効果】
【０００５】
請求項１の発明とすることにより、基板が起立状になってシーケンサ側コネクタの厚み内に収まることになって、分岐ユニットの厚みを薄くすることができ、このため分岐ユニットの配設スペースを狭くすることができる。
請求項２の発明とすることにより、シーケンサ側コネクタと端末側コネクタとが基板の板面方向を向いた状態で互いに反対側を向くことになって、分岐ユニットを薄型にできる。
請求項３の発明とすることにより、シーケンサ側コネクタの２行のターミナルが基板の支持部材となって兼用化され、基板の安定支持がターミナルを利用してできることになる。
請求項４の発明とすることにより、基板の２行のターミナル間への挿入作業が容易になって、組み付け作業の簡略化が計れることになる。
請求項５の発明とすることにより、電源用の端子台の取り付けが、シーケンサ側コネクタの固定代のビス固定を利用してできることになって組み付け作業の作業性が向上するだけでなく、端子台を取付けるためのビスが別途必要になることもなく部品点数の低減が図れる。
請求項６の発明とすることにより、端子台は、シーケンサ側および端末側コネクタが設けられる両辺部ではなく、該両辺部を連結する辺部から板面方向外方に突出して設けられることになって、シーケンス側コネクタの取付けスペースから位置ずれした位置に配され、分岐ユニットの基台側への取り付けの邪魔になることを回避できる。
請求項７の発明とすることにより、分岐ユニットを、一般的な取付け姿勢である縦姿勢で取り付けたとき、端子台が分岐ユニットの下側に配する取り付けとすることで、端子台の電源用配線の取り付け部が真下ではなく斜め方向を向くため、高所に分岐ユニットを取り付けた場合に電源用配線の接続作業が容易となる。
請求項８の発明とすることにより、基板を覆うための二つ割状のケース体の端部が、端子台を取付けるためのブラケットを有効に利用して挟持状に支持されることになって、ケース体同志の支持部材が不要となる。
請求項９の発明とすることにより、端子台を取付けるためのブラケットを固定代と共にビス固定する際のブラケットの回り止めがケース体を有効に利用してできることになって、ブラケットを位置決めした状態での取り付けができる。
請求項１０の発明とすることにより、入出力ユニット側に設けられるコネクタ間の隣接間隔が狭い場合でも電源用端子台が取付けられた状態で分岐ユニットを組込むことができる。
【発明を実施するための最良の形態】
【０００６】
次ぎに、本発明の実施の形態について、図面に基づいて説明する。図中、１は分岐ユニットであって、該分岐ユニット１は、シーケンサ２の入出力ユニット３に設けたコネクタ４に接続される一つのシーケンサ側コネクタ５と、分岐する端末数（本実施の形態では二つ）に対応した複数の端末側コネクタ６、６ａと、長方形状をした基板（プリント基板）７とを備えて構成されるが、該基板７の一方の長辺７ａにはピン数の多いシーケンサ側コネクタ５が設けられ、他方の長辺７ｂにはピン数の少ない端末側コネクタ６、６ａが長さ方向に一列状に並んで設けられている。
【０００７】
前記シーケンサ側コネクタ５は、一直線状をしたケーシング５ａに、幅方向にＡ行、Ｂ行の２行、長さ方向に１列〜２０列までの都合４０のターミナルの収容室８が仕切り５ｂ、５ｃによって形成されている。そして各収容室８には、ターミナル（ピン）９が貫通状に設けられているが、該ターミナル９は、シーケンサ接続側がケーシング５ａからは突出しない状態で一対の接触子９ａで構成されていて、前記入出力ユニット側コネクタ４の接触子４ａが接触子９ａ間に弾圧状に挿入して該接触子９ａと電気的に接続するようになっている。これに対し、基板７接続側の接触子９ｂはケーシング５ａ外に突出している。そしてこの突出ターミナル部９ｃは、幅方向に隣接する一対のもの同志が互いに対向し、この対向間で基板７を支持するようになっている。
【０００８】
つまり、前記幅方向に隣接する突出ターミナル部９ｃ同志は、突出基端部９ｄの対向間隔Ｘが基板７の厚さＴよりも大きく（Ｔ＜Ｘ）、突出中間部９ｅの対向間隔Ｙが基板厚さＴよりも小さく（Ｔ＞Ｙ）なっており、さらに突出先端部９ｆは、突出中間部９ｅから先端側に行くほど拡開し先端の対向間隔Ｚは基板厚さＴよりも大きく（Ｔ＜Ｚ）なっている。
【０００９】
一方、基板７の表裏両面には、前記突出ターミナル部９ｃに対応して接続部７ｃが露出している。そして基板７を前記突出ターミナル部９ｆの対向間に差込むと、基板７は突出先端部９ｆにガイドされる状態で突出ターミナル部９ｃの対向間に入り込むことになるが、対向間隔Ｙが基板７の厚さＴより小さい突出中間部９ｅが強制的に押し広げられることになって基板７は弾圧状に支持された仮保持状態で突出ターミナル部９ｃと接続部７ｃとが接触し、この接触部位を半田付け７ｄにより固着して一体化されており、このようにしてシーケンサ側コネクタ５と基板７とを取付けることで、基板７は、シーケンサ側コネクタ５の厚さＰ内に収まる状態で起立状に設けられている。また、突出ターミナル部９ｃと接続部７ｃが接触することで電気的に接続されている。そして突出ターミナル部９ｃと接続部７ｃとが接触していることにより、例えば濡れ性の異なる半田にもよく密着して固着させることができる。
【００１０】
一方、端末側コネクタ６、６ａについても、シーケンサ側コネクタ５と同様、端末側コネクタ６、６ａの厚さ内に収まるようにして起立状に取り付ける方式を採用することができるが、本実施の形態では、基板７の他方の長辺７ｂ側の一側面に端末側コネクタ６、６ａが他方の長辺７ｂから厚さ方向に突出するようにして取り付けられている。そして端末側コネクタ６、６ａの対向間から電源用となる一対のリード線１０、１０ａの一端が接続されている。尚、図５に、各コネクタ５、６、６ａ間の配線が記載されているが、これらの配線が多層のプリント基板となって基板７に形成されている。そしてこの配線は、シーケンサ側コネクタ５の入出力信号を、端末側コネクタ６、６ａに分岐する配線となっている。
【００１１】
一方、１１、１２は基板７を覆うための第一、第二のカバー体であって、該第一カバー体１１は端末側コネクタ６、６ａが取付けられている面側をカバーし、第二カバー体１２は端末側コネクタ６、６ａのない面側をカバーする二つ割りのものである。そして第一カバー体１１は、正面板１１ａが端末側コネクタ６、６ａと面一状となり、該正面板１１ａのシーケンサ側コネクタ側部位１１ｂは段差状になってシーケンサ側コネクタ５と面一状になるようにして基板７を覆うものであり、また第二カバー１２は、正面板１２ａがシーケンサ側コネクタ５と面一状となるようにして基板７を覆うものである。そして、第一カバー体１１の左右両側面板１１ｂには切欠き溝１１ｃがあり、ここから前記リード線１０、１０ａを引き出せるようになっている。これに対し第二カバー体１２の左右両側面板１２ｂには、前記切欠き溝１１ｃに対してリード線１０、１０ａの引き出しスペースＳを開ける状態で嵌入して位置決めする突起１２ｃが形成されている。
【００１２】
さらに両カバー体１１、１２には、基板７の略中央部に穿設した貫通孔７ｄに嵌入して互いに突き合う突起１１ｄ、１２ｄが形成され、該両カバー体１１、１２を基板７を覆う状態で突き合わせ、該突起１１ｄ、１２ｄに形成したビス孔にビス（図示せず）を螺装することで両カバー体１１、１２の固定ができるようになっている。
また、シーケンサ側コネクタ５の左右両端部は、両カバー体左右両側面板１１ｂ、１２ｂより突出してビス孔５ｄが形成されて固定代５ｅとなっているが、両カバー体左右両側面板１１ｂ、１２ｂには、固定代５ｅの上側に位置して係止凸部１１ｅ、１２ｅが突き合わせ状に形成されているが、該係止凸部１１ｅ、１２ｅ前後段差部には上下方向を向いたスライド溝１１ｆ、１２ｆが形成されている。
【００１３】
一方、１４は電源用の端子台１５を設けるためのブラケットであって、該ブラケット１４は、端子台１５の取付け部１４ａと、該取付け部１４ａに対して所定角度θ（本実施の形態では２５度）だけ上側に折曲するかたちで突出した折曲部１４ｂと、該折曲部１４ｂの上面からさらに突出して形成される連結部１４ｃとで構成されるが、連結部１４ｃの先端には、前記スライド溝１１ｆ、１２ｆを前後から挟む状態で上側からスライドして着脱自在に嵌合係止する係止部１４ｄが蟻溝状に形成されている。そしてブラケット１４は、前記リード線１０、１０ａが引き出された側のスライド溝１１ｆ、１２ｆに対して係止部１４ｄをスライド嵌合して連結部１４ｃの下面が固定代５ｅの上面と当接した状態でケース体１１、１２に取り付けることで、該ケース体１１、１２の前後方向の支持ができると共に、取付け部１４ａが分岐ユニット１に対して角度θだけ傾斜した状態での組み付けがなされるようになっている。そして分岐ユニット１は、シーケンサ２に設けたコネクタ４にシーケンサ側コネクタ５を差し込んだ状態で、固定代５ｅに設けたビス孔５ｄにビス１７を用いて固定されることになるが、ブラケット１４を取り付けた側の固定代５ｅは、該固定代５ｅに設けたビス孔５ｄがブラケット連結部１４ｃに設けたビス孔１４ｅと一致するものとなっていて、ビス１７による固定代５ｅとブラケット１４との一体的な固定ができるようになっている。
尚、電源用の端子台１５は、外部電源接続用の端子台を備えないシーケンサ２の入出力ユニット３に外部電源を直接的に接続することを可能にし、これにより電圧降下に基づく入出力ユニット３の不安定な作動を防止すると共に、接続ケーブル長に制約を受ける不具合を解消できるようにしたものである。
【００１４】
因みに、前記ブラケット１４は１個の電源用の端子台（端子数は４個）１５を取付けるものであって、端子台１５には、リード線接続部１５ａとリード線接続部１５ａの緩締をするための螺子部１５ｂとがある構成になっている。そしてこのものは、連結部１４ｃに対して取り付け部１４ａが左右両側に突出する構成になっており、図１２（Ａ）に示すように、入出力側コネクタの隣接間隔にゆとりがある場合、分岐ユニット１は、端末側コネクタ６、６ａが同じ側に位置するように入出力側コネクタにセットし、そして端子台１５は各分岐ユニット１毎に設けられ、各対応する分岐ユニット１の電源端子となるように取付けることができる。
【００１５】
これに対し、図１１に示すように、背高が異なると共に、取付け位置が左右に位置ずれするよう２台の端子台１５を組込んだブラケット１６が設定されている。このブラケット１６は、端子台１５の取付け部１６ａが連結部１６ｃに対して一側に偏寄した構成になったもので、このものは、図１２（Ｂ）に示すように隣接する入出力側コネクタの隣接間隔が狭い場合、分岐ユニット１は、端末側コネクタ６、６ａが上下交互の勝手違いになるよう入出力コネクタにセットすると共に、一つ置きの分岐ユニット１にブラケット１６を取り付け該取り付けられた分岐ユニット１と取付けられていない隣接する分岐ユニット１との各電源用端子台１５として振り分けられるように設定することができる。
【００１６】
叙述のごとく構成された本発明の実施の形態において、分岐ユニット１は、シーケンサ２の入出力用コネクタ４に接続されるシーケンサ側コネクタ５と、端末側に接続される端末側コネクタ６、６ａと、これらコネクタ５、６、６ａの入出力信号を分岐接続するための配線が設けられた基板７とからなるものであるが、基板７は、シーケンサ側コネクタ５の厚さＰ内に収まるよう起立状にしてシーケンサ側コネクタ５に設けられている結果、基板１がシーケンサ側コネクタ５の厚み方向にはみ出ることがなく、シーケンサ側コネクタ５の厚みＰ内に収まることになって、分岐ユニット１の厚みを薄くすることができ、このため分岐ユニット１の配設スペースを狭くして、入出力コネクタ４の隣接間隔が狭いものにもセットすることができる。
【００１７】
また、シーケンサ側コネクタ５および端末側コネクタ６、６ａは、一対の辺部７ａ、７ｂの対向方向外側から相手側コネクタが差し込まれるようにして設けられているから、シーケンサ側コネクタ５と端末側コネクタ６、６ａとが基板７の板面方向を向いた状態で互いに反対側を向いた姿勢で取付けられることになって、分岐ユニット１をさらに薄型にできる。
【００１８】
さらに、基板７は、シーケンサ側コネクタ５に設けられる２行のターミナル９間に板面が挿入挟持された状態で起立姿勢になっている結果、シーケンサ側コネクタ５の２行のターミナル９が基板７の支持部材となって兼用化され、起立状の基板７の安定支持が、入出力用コネクタにビス固定されるシーケンサ側コネクタ５のターミナル９を利用してできることになる。
この場合において、１行のターミナルが設けられたシーケンサ側コネクタの２個を突き合わせて２行のターミナルとし、このターミナル間に基板７を挟みこむようにしても構成することができる。
また、両ケース体１１、１２の他端側のスライド溝１１ｆ、１２ｆに対して係止部を有した係止体（電源端子台の反対側に取付けられる駒状のもの）によって固定しても良い。さらにまた電源端子台を有さない場合、係止体で両ケース体１１、１２のスライド溝１１ｆ、１２ｆを固定しても良い。
【００１９】
この場合において、基板７を挟持するターミナル９は、突出先端部９ｆが、基板７の厚みＴよりも広くなるよう先端側ほど拡開しており、これによって基板７の挿入ガイドをするように構成されているから、隣接する突出中間部９ｅ間の対向幅Ｙが基板７の厚さＴよりも狭いものであっても、基板７の挿入組込みが容易となって組込み作業の作業性が向上する。そして基板７は厚みＴより狭い対向幅Ｙで対向する突出中間部９ｅによって押圧状に支持されるため、半田付け前の段階において確実な仮保持ができることになって、組込み後に位置ずれしてしまうような不具合を解消して不良発生を防止し、高品質のものを提供できることになる。
【００２０】
またさらに、シーケンサ側コネクタ５を入出力ユニット３側にビス１７で固定する際に、該コネクタ５の両端部に設けられる固定代５ｅの少なくとも一方に、該固定代５ｅと共にビス固定されるブラケット１４を介して電源用の端子台１５が取付けられることになる結果、電源用の端子台１５の取り付けが、シーケンサ側コネクタ５の固定代５ｅのビス固定を利用してできることになって組み付け作業の作業性が向上するだけでなく、端子台１５を取付けるためのビスが別途必要になることもなく部品点数の低減が図れる。
しかもこの場合、ブラケット１４は、基板７の各コネクタ５、６、６ａを設けた互いに対向する一対の辺部７ａ、７ｂを連結するための辺部７ｅ、つまり図２の左右横辺から板面方向外側方に突出するようにして設けられているため、端子台１５は、シーケンス側および端末側コネクタ５、６、６ａの取付けスペースから左右方向に位置ずれした位置に配されることになって、分岐ユニット１の入出力側コネクタ４側への取り付けの邪魔になることを回避できる。
【００２１】
またこの場合に、ブラケット１４は、端子台１５の取付け部１４ａがコネクタを取付けた一対の辺部方向に２５度ほど傾斜している結果、図６（Ｂ）に示すように、分岐ユニット１を、一般的な取付け姿勢である縦姿勢で、端子台１５が分岐ユニット１の下側に配する取り付けとした場合、リード線接続部１５ａが真下ではなく斜め方向を向くこととなって、分岐ユニット１が見づらい位置に取付けられている場合や高所に取り付けられている場合にリード線の配線作業が容易となる。
【００２２】
また、分岐ユニット１を構成する基板７は、二つ割状のケース体１１、１２によって覆われるものとなっているが、該両ケース体１１、１２は、一端部がブラケット１４によって厚み方向両側から挟持状に支持されている結果、その分、該側を支持するためのビス等の部材を不要にすることができ、部品点数の低減が図れる。
このことはまた逆に、ブラケット１４は、ビス１７によって固定代５ｅと共締めする際に、両ケース体１１、１２によって回り止め状に支持されることとなって、端子台１５がビス１７の締結回り方向に傾斜して取付けられてしまうことを回避できて、確実な取り付けができる。
【００２３】
さらにこのものでは、ブラケット１６に二台の電源用の端子台１５、１５が取付けられるものとした場合に、該二台の端子台１５、１５のうちの一台はブラケット１６が取付けられる側の分岐ユニット１側に偏寄し、他の一台はブラケット１６が取付けられていない側の分岐ユニット１側に偏寄して取付けられ、各対応する分岐ユニットの電源端子となるように構成しているため、入出力ユニット側に設けられるコネクタ間の隣接間隔が狭い場合でも電源用端子台が取付けられた状態で分岐ユニット１を組込むことができる。
【図面の簡単な説明】
【００２４】
【図１】シーケンサに分岐ユニットをセットした状態を示す概略図である。
【図２】分岐ユニットを示すものであって、（Ａ）は正面図、（Ｂ）は背面図、（Ｃ）は側面図である。
【図３】シーケンサ側コネクタを示すものであって、（Ａ）は平面図、（Ｂ）は正面図、（Ｃ）は底面図、（Ｄ）は側面図である。
【図４】（Ａ）は基板をセットする前の状態を示すシーケンサ側コネクタ部の断面図、（Ｂ）は基板をセットした状態を示すシーケンサ側コネクタ部の断面図、（Ｃ）は基板をセットする前の状態を示すシーケンサ側コネクタ部の要部断面図である。
【図５】基板の配線図である。
【図６】分岐ユニットをケース体で覆った状態を示すものであって、（Ａ）は平面図、（Ｂ）は正面図、（Ｃ）はブラケットを断面した状態を示す側面図、（Ｄ）はブラケットのない状態を示す側面図である。
【図７】第一カバー体を示すものであって、（Ａ）は平面図、（Ｂ）は正面図、（Ｃ）は底面図、（Ｄ）は背面図、（Ｅ）は側面図である。
【図８】第二カバー体を示すものであって、（Ａ）は平面図、（Ｂ）は正面図、（Ｃ）は底面図、（Ｄ）は背面図、（Ｅ）は側面図である。
【図９】カバー体のブラケット取り付け部を示すものであって、（Ａ）は要部平面図、（Ｂ）は要部側面図である。
【図１０】第一の実施の形態を示す端子台付きブラケットを示すものであって、（Ａ）は平面図、（Ｂ）は正面図、（Ｃ）は側面図である。
【図１１】第二の実施の形態を示す端子台付きブラケットを示すものであって、（Ａ）は平面図、（Ｂ）は正面図、（Ｃ）は側面図である。
【図１２】シーケンサに分岐ユニットをセットした状態を示すものであって、（Ａ）は第一の実施の形態の分岐ユニットをセットした状態の平面図、（Ｂ）は第二の実施の形態の分岐ユニットをセットした状態の平面図である。
【符号の説明】
【００２５】
１    分岐ユニット
５    シーケンス側コネクタ
６、６ａ  端末側コネクタ
７    基板
９    ターミナル
１１、１２  ケース体
１４    ブラケット
１５    端子台
【図１】
2006139528.tif 000003
【図２】
2006139528.tif 000004
【図３】
2006139528.tif 000005
【図４】
2006139528.tif 000006
【図５】
2006139528.tif 000007
【図６】
2006139528.tif 000008
【図７】
2006139528.tif 000009
【図８】
2006139528.tif 000010
【図９】
2006139528.tif 000011
【図１０】
2006139528.tif 000012
【図１１】
2006139528.tif 000013
【図１２】
2006139528.tif 000014